(57)【要約】【課題】  簡単な構成によって、内視鏡の挿入部を経鼻的に挿入する際に、挿入部が鼻翼等に強力に押し付けられるのを防止して、被検者に対する苦痛の軽減を図る。【解決手段】  着鼻保護具１０は、内視鏡１の挿入部２を挿通させる挿通路１１を形成した保護具本体１２の一端部に、着鼻保護具１０を介して挿入部２を体内に挿入する際に、この着鼻保護具１０が鼻腔内に埋入するのを防止する機能を発揮するフランジ部１３が連設されており、このフランジ部１３は着鼻保護具１０におけるストッパ部として機能し、かつ保護具本体１２は、その外面における中間部分が最大径となり、この最大径部１２Ｍが鼻からの脱落防止機能を発揮する。【選択図】  図１
2006326063.tif 000002
【特許請求の範囲】
【請求項１】
外鼻孔内に装着可能であって、この外鼻孔から鼻腔前庭の内部に至る長さ寸法を有し、内視鏡の挿入部が挿通可能な挿通路を形成した保護具本体と、
前記保護具本体に設けられ、鼻腔の内部に埋入されるのを防止するストッパ部と、外鼻孔からの脱落を防止する脱落防止部と
を備えた経鼻挿入式内視鏡用着鼻保護具。
【請求項２】
前記ストッパ部は前記保護具本体に連設したフランジ部からなり、このフランジ部の外径は外鼻孔より大きい寸法を有するものであることを特徴とする経鼻挿入式内視鏡用着鼻保護具。
【請求項３】
前記脱落防止部は、前記保護具本体の外周面に形成した膨出部から構成したことを特徴とする経鼻挿入式内視鏡用着鼻保護具。
【発明の詳細な説明】
【技術分野】
【０００１】
本発明は、胃鏡等の上部消化管用の内視鏡等として用いられ、経鼻的に体腔内に挿入される経鼻挿入型内視鏡において、被検者の鼻に着用されて、この内視鏡の挿入部を挿通させる通路を確保し、かつ鼻翼等が押圧変形されるのを抑制するための着鼻保護具に関するものである。
【背景技術】
【０００２】
上部消化管用の内視鏡等は、通常、口腔を介して挿入部を体腔内に導かれる、経口挿入とするのが一般的である。このために、内視鏡検査を受ける被検者は横臥状態でマウスピースを銜えて、このマウスピースにより確保される経路に沿って挿入部が体腔内に導かれる。口腔を介して挿入される場合には、挿入部が咽喉を通過させる際に、舌根に挿入部が触れることによる咽喉反射或いは嘔吐反射が起こり、嘔吐感を被検者に与え、苦痛を伴うものになる。そして、この咽頭反応を抑制して、苦痛の軽減を図るために、麻酔薬を用いるものの、なお苦痛は残ってしまう。さらに、被検者はマウスピースを銜えているので、術者等との会話が困難になるという問題点もあり、また口呼吸が困難になる等の問題点がある。
【０００３】
内視鏡の挿入経路として、前述した口腔だけでなく、経鼻的に挿入する方式も可能である。特に、近年においては、内視鏡の挿入部が細径化される傾向にあり、鼻腔を介して挿入するのに最適な外径を有する内視鏡も実用化されている。そして、例えば特許文献１において、経鼻的に挿入する方式は被検者保護の観点から有利であると指摘されている。また、非特許文献１からも明らかなように、細径の挿入部を用いて経鼻的に体腔内に導くようにした内視鏡検査の臨床例も報告されている。
【０００４】
このように、内視鏡の挿入部を鼻腔から挿入すると、咽喉を通過させないことから、嘔吐感等が生じることなく、被検者の苦痛や負担が軽減されると共に、使用される麻酔薬も微量で良いことから、被検者は検査中において、術者等と会話をすることができ、口呼吸も可能となる等の利点がある。従って、経鼻挿入型内視鏡での検査が今後増大することが予想される。
【特許文献１】特開２００５−７４０３５号公報
【非特許文献１】第５４回日本消化器内視鏡学界総会  第３９巻（Ｓｕｐｐｌ．２）  １９９７  ＶＳ６−２
【発明の開示】
【発明が解決しようとする課題】
【０００５】
経鼻的に内視鏡の挿入部を体腔内に挿入するには、外鼻孔から鼻腔の中鼻道や下鼻道を通過する経路を取るが、この経路には狭窄な部位があるために、挿入部の外径寸法はこの狭窄部を円滑に通過できるものとしなければならない。ただし、この経鼻的に挿入部を挿入する際において、挿入経路の入口としての外鼻孔はその通路の壁部となる鼻翼には軟骨等が存在しておらず、任意の方向に変形自在となっている。経鼻的挿入経路に内視鏡の挿入部を挿入させる際に、例えばこの挿入部の方向を変えたり、また検査中に術者の姿勢を変えたりすることがある。そのときに、挿入部に曲げ方向や捻り方向等に力が作用することになり、この力によって鼻翼や鼻中隔を押圧したり、突っ張らせたりして、被検者に対して苦痛を強いるおそれがある。そして、経鼻的に挿入するという観点からは挿入部の細径化が望まれるが、挿入部が細くなればなるほど、鼻翼や鼻中隔に強力に押し付けられることにより被検者に鋭い痛みを与えてしまうおそれがあるという問題点がある。
【０００６】
本発明は以上の点に鑑みてなされたものであって、その目的とするところは、簡単な構成によって、内視鏡の挿入部を経鼻的に挿入する際に、挿入部が鼻翼等に強力に押し付けられるのを防止して、被検者に対する苦痛の軽減を図る保護治具を提供することにある。
【課題を解決するための手段】
【０００７】
前述した目的を達成するために、本発明は、外鼻孔内に装着可能であって、この外鼻孔から鼻腔前庭の内部に至る長さ寸法を有し、内視鏡の挿入部が挿通可能な挿通路を形成した保護具本体と、前記保護具本体に設けられ、鼻腔の内部に埋入されるのを防止するストッパ部と、外鼻孔からの脱落を防止する脱落防止部とを備える構成としたことをその特徴とするものである。
【０００８】
経鼻的挿入経路において、外鼻孔から鼻腔前庭までの部位では、鼻翼がその一部の通路となっていることから、着鼻保護具は、この経路のうち、鼻翼が介在する部位に挿入部を挿通させるトンネル状の通路を形成する構成としている。これによって、術者が操作する挿入部に曲げ方向や捩じり方向の力が作用しても、挿入部が曲がるのは外鼻孔より外部側の挿通路の入口であるから、鼻翼等に外力が作用することがなくなる。また、鼻翼が介在する部位は挿入経路の端緒であり、かつその通路長も短く、さらにその通路の空間形状を多少押し広げることも可能である。従って、着鼻保護具を挿脱する操作を容易かつ円滑に行える。
【０００９】
保護具本体は、装着時や挿入部の挿入操作時に作用する外力の緩衝作用を発揮させるために、ある程度の保形性を有し、しかもクッション性のある軟質プラスチックで形成することもできる。しかも、耐熱性の良好な材料を用いることによって、滅菌可能な、つまり耐薬品性または耐オートクレーブのある材料、例えばシリコンゴムやフッ素ゴム等で形成することができる。ただし、挿通路の形状は安定していなければならない。従って、挿通路を構成する部分は変形しない硬さを持たせるために、金属や硬質プラスチック等で形成し、周囲は軟質プラスチック，ゴム等で覆う構成としても良い。そして、着鼻保護具においては、挿入部の挿通路を形成した保護具本体と、ストッパ部及び脱落防止部とを備える構成している。
【００１０】
保護具本体は内部に挿通路が形成されており、この挿通路には挿入部が挿通されることから、挿入操作性が良好となるように、滑りの良い部材や自己潤滑性材料で形成することができる。また、表面に潤滑材を塗布することも可能である。
【００１１】
ストッパ部は、挿入部を保護具本体内に挿入する際に、押し込み力によって着鼻保護具全体が鼻腔内に埋入しないように保持するためのものである。具体的には、例えば外鼻孔より大きい外形のフランジ部を保護具本体に連設する構成とすることができる。内視鏡の挿入部は２箇所ある外鼻孔の一方に挿入されるが、着鼻保護具を両外鼻孔に挿入される保護具本体を形成したものとすることによっても、ストッパ部として機能させることができる。この場合、いずれか一方の保護具本体が内視鏡の挿入部が挿入されるものとなり、挿入しやすい方に挿入すれば良い。そして、挿入部が挿入されないもう一方の保護具本体は呼吸用の通路となる。
【００１２】
前述したストッパ部は、着鼻保護具が鼻腔内に埋入するまで押し込まれるのを防止するための機構であるが、脱落防止部は着鼻保護具が鼻から脱落しないように保持するためのものである。また、着鼻保護具が不安定にならないように保持することが望ましい。従って、脱落防止部は内視鏡検査の間中においても、着鼻保護具を安定的に保持する機能を発揮する。この脱落防止部の一例としては、保護具本体の外面に円環状の膨出部を形成する構成とすることができる。この場合、膨出部は外鼻孔に挿入する際に、ある程度の抵抗が生じる程度の外径とする。また、膨出部を挿入側の先端からテーパ状に拡大する楔状に形成し、先端の縮径された部位から挿入するようにすれば、被検者が着鼻保護具を着用する際に圧迫感が少なくなる。さらに、脱落防止部は外鼻孔の内部で脱落に対する抵抗を生じさせる膨出部位を形成する構成だけでなく、外鼻孔の内外を挟み込むクリップ状の部材として構成することができ、バンドを取り付けるように構成することもできる。
【００１３】
内視鏡の挿入部が着鼻保護具の挿通路を通過すると、中鼻道若しくは下鼻道に導かれることになるが、このときに経路は方向転換することになる。挿入部の方向転換を円滑に行わせるには、着鼻保護具の挿通路における挿入部の挿入方向前方端部は挿通路の曲げが可能とする。このためには、例えば、保護具本体の先端側から所定の位置までに及ぶ複数のスリットを形成することができる。
【発明の効果】
【００１４】
以上により、簡単な構成によって、内視鏡の挿入部を経鼻的に円滑に挿入することができ、かつ挿入部が鼻翼等に直接押し付けられるのを防止できて、被検者に対する苦痛の除去乃至軽減が図られる。
【発明を実施するための最良の形態】
【００１５】
以下、図面に基づいて本発明の実施の形態について説明する。図中において、１は内視鏡であって、内視鏡１は体腔内に挿入される挿入部２の基端部に本体操作部３を連結して設け、本体操作部３から光源装置やプロセッサに接続されるユニバーサルコード４を延在させる構成としたものである。挿入部２は、例えば食道，胃，十二指腸等といった上部消化管内に挿入されて、所望の検査や治療等を行うために用いられるものである。ここで、挿入部２は、被検者の口腔ではなく、鼻腔を介して体内に挿入されるようになっている。つまり、鼻道の入口である外鼻孔から中鼻道（または下鼻道）を含む鼻腔を通り鼻咽喉部から食道に至る経路を取るようにしている。
【００１６】
このように、経鼻的に挿入部２を挿入される経路において、この経路の入口に当たる外鼻孔から鼻腔前庭の部位はそれ以降の経路と比較して、広い空間を有するものであり、しかも任意の方向に動き得る柔軟な鼻翼が経路の壁として機能している。そして、鼻腔前庭から中鼻道または下鼻道に向けては通路が狭まっており、かつ動きの自由度が得られなくなる。従って、例えば術者の姿勢を変えたり、挿入部２の挿入方向を制御したりするために、鼻腔の外の部位で挿入部２が曲げられると、鼻腔前庭の内部で急激に曲げられることになる。その結果、柔軟な部位である鼻翼や鼻中隔といった部位が押圧されたり、突っ張らされたりして、被検者に負担がかかり、苦痛を与える場合がある。
【００１７】
以上の点から、挿入部２の挿入時や検査中においては、着鼻保護具１０を被検者に着用させるようにする。この着鼻保護具１０には、内視鏡１の挿入部２を挿通させる挿通孔１１が形成されており、この挿通孔１１は、経鼻通路のうち、任意の方向または形状に変形してしまう外鼻孔から鼻腔前庭に至る鼻翼の部位のほぼ全長に及ぶ長さを有するが、中鼻道等を構成する鼻軟骨が位置する部位までは及ばない長さとなっている。図３に示したように、着鼻保護具１０の挿通孔１１の孔径は内視鏡１の挿入部２の外径寸法より大きくなっていなければならないが、その径差はあまり大きくする必要はない。そして、挿通孔１１の入口部分は漏斗状に拡径しており、挿入部２の導入呼び込み部１１ａとなっている。
【００１８】
着鼻保護具１０において、挿通孔１１が形成されている部位を保護具本体１２として、この保護具本体１２の導入呼び込み部１１ａ側にはフランジ部１３が連設されている。このフランジ部１３は、着鼻保護具１０を介して挿入部２を体内に挿入する際に、この着鼻保護具１０が鼻腔内に埋入するのを防止する機能を発揮するものであり、その外径寸法は外鼻孔の孔径より十分大きいものである。従って、このフランジ部１３は着鼻保護具１０におけるストッパ部として機能するものである。
【００１９】
保護具本体１２の外面は、その軸線方向において、その概略中間部が最も大径の球面形状となるように膨出させている。そして、球面形状の部分のうち、最大径部１２Ｍは外鼻孔の孔径と実質的に同じか、またはそれより僅かに大きくなっている。従って、着鼻保護具１０を鼻に着用させる際には、その外面の球面部により外鼻孔が若干押し広げるようにして装着されることになる。その結果、最大径部を通過すると、着鼻保護具１０が鼻に着用された状態で安定的に保持されて、みだりに脱落するのを防止することができる。従って、この膨出部分、特に最大径部１２Ｍが脱落防止部として機能する。
【００２０】
また、保護具本体１２の先端側、つまりフランジ部１３を連設した側とは反対側には、その端部から挿通孔１１の軸線に沿う方向に所定の長さ分だけスリット１４が複数箇所設けられている。これによって、挿入部２を挿通孔１１に挿通させたときに、この挿入部２により挿通孔１１の軸線を多少湾曲変形できるようになっている。その結果、着鼻保護具１０に設けた挿通孔１１と、鼻腔内の挿入経路との間にずれがあったとしても、挿通孔１１の先端部分が中鼻道等の通路に倣うように補正されて、挿通路１１内に挿通させた挿入部２は円滑に中鼻道等に向けて進行できるようになる。
【００２１】
以上の構成を有する着鼻保護具１０を用いることによって、挿入部２の挿入時や検査中において、被検者の苦痛を緩和することができる。ここで、予め被検者の鼻に着用させて、この着鼻保護具１０の挿通孔１１内に内視鏡１の挿入部２を挿入しても良いが、着鼻保護具１０をこの挿入部２に挿通させて、その体腔内への挿入操作時には、鼻に着用せず挿入部２の本体操作部３側に引き寄せておく方が挿入操作を円滑に行える。そして、挿入部２を観察すべき対象部、例えば食道や胃の内部に挿入する。このときに、挿入部２の外面に、麻酔薬を塗布しておくと、被検者の苦痛の軽減が図られる。そして、この麻酔薬として、例えばキシロカインゼリーを用いると、ある程度の粘性を有しているので、挿入部２の外面での保持性が良好であり、しかも潤滑剤として機能するので、挿入部２の挿入をより円滑に行うことができる。
【００２２】
挿入部２の先端が中鼻道を通過して咽頭鼻部付近に到達したときに、着鼻保護具１０を挿入部２の本体操作部３側からスライドさせて、それを外鼻孔内に挿入する。保護具本体１２の最大径部１２Ｍは外鼻孔より若干大きい外径となっているので、この外鼻孔が押し広げられるようにして嵌入することになり、フランジ部１３が外鼻孔に当接する。これによって、着鼻保護具１０は外鼻孔から脱落しないように、また鼻腔前庭側に埋入しないように、安定的に保持される。
【００２３】
この状態で、内視鏡検査を行うが、この検査時に、術者の姿勢を変えたり、挿入部２の方向を変えたりするために、挿入部２に曲げ力や捩じり力等が加えられることがある。外鼻孔から外部の部位では、挿入部２は自由空間に位置しており、外鼻孔から先は挿入経路に規制される。従って、挿入部２が曲げられると、その挿入経路の始端位置である外鼻孔の部位で挿入部２が急激に曲げられることになる。しかしながら、挿入部２のこの部位は着鼻保護具１０の挿通孔１１内に位置しているので、挿入部２はこの挿通孔１１の内壁に押圧されにしても、経鼻経路の一部を構成し、柔軟な部位である鼻翼等に直接挿入部２の押圧力が作用することはない。勿論、挿入部２の曲げ力は最終的には鼻翼及び鼻中隔を含む鼻腔内壁に及ぶことになるが、押圧力は全体に分散する。従って、内視鏡検査を行うために、挿入部２を出し入れしたり、大きく曲げたりしても、被検者にとってさほどの負担にならず、苦痛が緩和されることになる。
【００２４】
挿入部２の挿入時や内視鏡検査時間が長くなる場合には、麻酔薬を補給する必要があるが、挿入部２が挿通されている着鼻保護具１０の挿通孔１１の入口部分には拡開した導入呼び込み部１１ａが形成されているので、この部位にキシロカインゼリー等の麻酔薬を貯留しておくことによって、麻酔薬の補給が可能となる。即ち、内視鏡検査時には挿入部２を押し引き操作することになるが、この挿入部２を押し込んだときに、麻酔薬が鼻腔内に浸入することになる。ここで、麻酔薬が必要なのは鼻腔の内部、特に中鼻道や下鼻道までであり、挿入部２の押し引き操作により着鼻保護具１０の入口部分に貯留した補給用の麻酔薬は前述した部位に十分行き渡らせることができる。
【００２５】
着鼻保護具１０を装着した状態で、その内部に形成した挿通孔１１に内視鏡１の挿入部２が挿通されることから、この着鼻保護具１０が鼻に着用された状態で、できるだけ安定的に保持することが、内視鏡１の操作性を向上するために望ましい。そこで、図４に示したように、フランジ部１３には弾性部材からなるクリップ部１５を連設することができる。このクリップ部１５を鼻翼や鼻中隔に挟み込むようにして装着するように構成すれば、挿入部２を挿入する際において、着鼻保護具１０の安定性がより向上することになる。
【００２６】
また、着鼻保護具の脱落防止部としては、図５に示した着鼻保護具２０のように、挿通孔２１を設けた保護具本体２２において、挿入始端側からフランジ部２３への連設部に設けて、途中まで外径を連続的に大きくし、フランジ部２３から所定の間隔だけ離れた位置が最大径部２２Ｍとする構成としても良い。
【００２７】
また、脱落防止部としては、図６乃至図８に示したように、拡縮可能な構成とすることができる。この場合、着鼻保護具３０は内部に挿通路３１を形成した保護具本体３２と、この保護具本体３２の一端に連設され、ストッパ部として機能するフランジ部３３とを有するが、保護具本体３２の外周面には膨出部は形成されておらず、可撓性を有する部材を円環状に形成したバッグ３４が固着して設けられている。このバッグ３４は空気の給排により拡縮するものであって、被検者に着用する前の段階ではバッグ３４は縮小させておき、鼻腔内に装着された後に、バッグ３４を膨出させて、脱落防止機能を発揮させる構成となっている。
【００２８】
このために、バッグ３４には空気の給排チューブ３５の一端が接続されており、この給排チューブ３５の他端は空気給排手段３６に接続されている。この空気給排手段３６はバルブケーシング３７と、ルアーロック接続部３８とを有し、ルアーロック接続部３８にはシリンジ等からなる空気圧供給手段と、押動棒等からなる空気圧解除手段とが着脱可能に接続できるようになっている。バルブケーシング３７には、ばね３９に付勢された弁部材４０が装着されている。弁部材４０はテーパ状となっており、またルアーロック接続部３８のバルブケーシング３７への接続側の端部近傍の内面もテーパ面となっている。常時においては、弁部材４０はこのルアーロック接続部３８におけるテーパ面に接合することによって、バッグ３４の内部からバルブケーシング３７に至る部位を密閉している。また、弁部材４０の外周面には、連通路４０ａが設けられている。
【００２９】
従って、ルアーロック接続部３８に空気圧供給手段を接続し、この空気圧供給手段から加圧空気を供給すると、弁部材４０はばね３９に抗する方向に移動して、連通路４０ａを介して加圧空気がバルブケーシング３７から給排チューブ３５を通り、バッグ３４内に供給されて、このバッグ３４が膨張することになる。その結果、着鼻保護具３０が鼻から脱落することはない。そして、バッグ３４を膨張させた後に、空気圧供給手段を取り外すと、弁部材４０がルアーロック接続部３８側に移動して、連通路４０ａが閉鎖されることになり、バルブケーシング３７の内部が密閉されて、バッグ３４は膨張した状態に保持される。
【００３０】
このように、バッグ３４により脱落防止部を構成すると、このバッグ３４を縮小させた状態で、外鼻孔に挿入させるので、被検者の外鼻孔の大きさが異なっていても、着鼻保護具３０を着用させることができ、かつバッグ３４を適切な大きさに膨出させることによって、確実に脱落機能を発揮させることができる。そして、内視鏡検査が終了すると、空気圧解除手段をルアーロック接続部３８に接続して、弁部材４０を押し込むことによって、バッグ３４から空気を抜き出させて縮小させる。これによって、着鼻保護具３０を容易に脱着することができる。
【００３１】
さらに、図９に示した着鼻保護具５０は両外鼻孔に装着される構成としたものである。この着鼻保護具５０は、挿通孔５１を形成した保護具本体５２が左右に２箇所設けられており、その先端部にはフランジ部５３が連設されている。そして、両保護具本体５２間は、連結片５４によって連結されている。さらに、両保護具本体５２には脱落防止部となるクリップ部５５を設けるようにしている。
【００３２】
このように構成すると、一方の保護具本体５２内に挿入部２を挿通させる際に、他方の保護具本体５２がストッパとしての機能を発揮する。また、２つの保護具本体５２のいずれに挿入部２を挿入しても良い。そして、挿入部２が挿通されない側の保護具本体５２における挿通孔５１は呼吸用として使用される。
【００３３】
さらにまた、着鼻保護具６０を図１０に示したように構成し、この着鼻保護具６０に、図１１に示したバンド６５を装着するようにしても良い。この着鼻保護具６０は、内部に挿通孔６１を有する保護具本体６２の先端にフランジ部６３を連設したものであり、このフランジ部６３は左右に張り出しており、この張り出した部位には透孔からなるバンド止着部６４，６４が形成されている。そして、図１１に示したように、バンド６５の両端をバンド止着部６４，６４に挿通させて、ループ状にすることによって、被検者の頭部に着用できるようにしている。そして、バンド６５において、バンド止着部６４で折り返した部位にはバックル６６が設けられており、これらバックル６６によって、バンド６５のループ部分を縮小したり拡大したりするようになし、もって着鼻保護具６０を鼻に着用した状態で、バンド６５を頭部に着用することによって、この着鼻保護具６０は極めて安定した状態に保持させることができる。その結果、挿入部２の挿脱を容易に行うことができる。そして、バンド６５の着鼻保護具６０の装着位置とは反対側に、そのループを開閉できるようにするために、面ファスナ６７が設けられている。これによって、被検者に着鼻保護具６０を着用した後に、この面ファスナ６７によりバンド６５をループ状に止着することができ、また検査終了後には、面ファスナ６７の係合を解除して、ループを外すことにより、着鼻保護具６０を容易に取り外すことができる。なお、面ファスナ６７に代えて、バックル，ホック等を用いることもできる。
【００３４】
以上の他にも、着鼻保護具として、図１２に示した符号７０で示したものを用いることができる。この着鼻保護具７０は、内部に挿通孔７１を有する保護具本体７２の先端の左右に張り出すようにフランジ部７３を連設したものから構成され、両フランジ部７３をサジカルテープによって被検者の鼻の周囲に固定することができる。
【００３５】
さらに、図１３に示したように、ストッパとして機能するフランジ部８３を、挿通孔８１を有する保護具本体８２に着脱可能とした着鼻保護具８０を用いることができ、被検者の外鼻孔の形状や大きさに応じて適宜フランジ部８３を交換して用いることができる。
【図面の簡単な説明】
【００３６】
【図１】本発明の着鼻保護具を着用して内視鏡の挿入部を被検者の体腔内に挿入する状態を示す説明図である。
【図２】本発明の第１の実施の形態を示す着鼻保護具の外観図である。
【図３】図２の断面図である。
【図４】本発明の第１の実施の形態における変形例を示す外観図である。
【図５】本発明の第２の実施の形態を示す着鼻保護具の外観図である。
【図６】本発明の第３の実施の形態を示す着鼻保護具の正面図である。
【図７】図６の縦断面図である。
【図８】図６の左側面図である。
【図９】本発明の第４の実施の形態を示す着鼻保護具の外観図である。
【図１０】本発明の第５の実施の形態を示す着鼻保護具の外観図である。
【図１１】図１０に示した着鼻保護具にバンドを装着した構造を示す外観図である。
【図１２】本発明の第６の実施の形態を示す着鼻保護具の外観図である。
【図１３】本発明の第７の実施の形態を示す着鼻保護具の断面図である。
【符号の説明】
【００３７】
１  内視鏡      ２  挿入部
３  本体操作部      ４  ユニバーサルコード
１０，２０，３０，５０，６０，７０，８０  着鼻保護具
１１，２１，３１，５１，６１，７１，８１  挿通孔
１２，２２，３２，５２，６２，７２，８２  保護具本体
１２Ｍ，２２Ｍ  最大径部
１３，２３，３３，５３，６３，７３，８３  フランジ部
１４，５５  クリップ部
３４  バッグ
６５  バンド
【図１】
2006326063.tif 000003
【図２】
2006326063.tif 000004
【図３】
2006326063.tif 000005
【図４】
2006326063.tif 000006
【図５】
2006326063.tif 000007
【図６】
2006326063.tif 000008
【図７】
2006326063.tif 000009
【図８】
2006326063.tif 000010
【図９】
2006326063.tif 000011
【図１０】
2006326063.tif 000012
【図１１】
2006326063.tif 000013
【図１２】
2006326063.tif 000014
【図１３】
2006326063.tif 000015